(57)【要約】【課題】本発明は、適正な動きを撮像して、適正な運転検査の行える人体検出装置を提供することを課題とする。また、入浴者を検知できなかった場合には、検査の促進を図る必要もある。【解決手段】操作ガイド音声報知手段により音声を報知する報知手段によって検査内容を報知する検査ガイド音声報知手段を設けたことで、給湯器等の操作時に音声により操作手順等の案内を行う報知機能を利用して、人体検出センサの検査内容をアナウンスし、人とセンサとのコミュニケーションを図り、適正な動きを再現し撮像することが可能となる。ここに、検査内容とは人体検出センサが正常に動作するか否かを検査するため、例えば浴室の出入口の入口ドア付近で座る、立つを数回繰り返して人の存在を検知する検査、洗場の中央において座った状態で体を前後に揺らす検査、浴槽に浸かる動作の検査等を意味するものである。【選択図】　　　　図２５
2004077414.tif 000002
【特許請求の範囲】
【請求項１】
人体の動きの有無を検出する人体検出センサと、給湯器等の操作手順を音声によりガイドする操作ガイド音声報知手段と、該操作ガイド音声報知手段により音声を報知する報知手段を有するリモコンと、前記人体検出センサが正常に動作するか否かを検査する運転検査手段とからなり、人体検出センサの運転検査時には前記報知手段により検査内容を報知する検査ガイド音声報知手段を設けたことを特徴とする人体検出装置。
【請求項２】
人体の動きの有無を検出する人体検出センサと、給湯器等の操作手順を音声によりガイドする操作ガイド音声報知手段と、該操作ガイド音声報知手段により音声を報知する報知手段を有するリモコンと、前記人体検出センサが正常に動作するか否かを検査する運転検査手段と、人体検出センサの運転検査時には前記報知手段により検査内容を報知する検査ガイド音声報知手段と、前記運転検査手段を一定期間毎に作動させる定期動作手段とを設けたことを特徴とする人体検出装置。
【請求項３】
人体の動きの有無を検出する人体検出センサと、給湯器等の操作手順を音声によりガイドする操作ガイド音声報知手段と、該操作ガイド音声報知手段により音声を報知する報知手段を有するリモコンと、前記人体検出センサが正常に動作するか否かを検査する運転検査手段と、人体検出センサの運転検査時には前記報知手段により検査内容を報知する検査ガイド音声報知手段と、前記運転検査手段を一定期間毎に作動させる定期動作手段と、一定期間経過後入浴者を検出出来ない場合は検査の催促を促す催告手段とを設けたことを特徴とする人体検出装置。
【請求項４】
監視領域を所定時間間隔で撮像する撮像装置と、人体の動き量を前記所定時間間隔前後の両画像の比較により受光量の差として演算する動き量演算手段を有する人体検出センサと、給湯器等の操作手順を音声によりガイドする操作ガイド音声報知手段と、該操作ガイド音声報知手段により音声を報知する報知手段を有するリモコンと、前記人体検出センサが正常に動作するか否かを検査する運転検査手段とからなり、人体検出センサの運転検査時には前記報知手段により検査内容を報知する検査ガイド音声報知手段を設けたことを特徴とする人体検出装置。
【発明の詳細な説明】
【０００１】
【発明の属する技術分野】
本発明は、浴室等を監視して人体の動きに転倒等異常が生じた場合には、遠隔場所に居る他者に警報を発する人体検出装置に関するものである。
【０００２】
【従来の技術】
従来、出願人は、人体検出センサが正常に動作しているかどうかを確認することのできる試運転手段を設けた人体検出装置を、特願２００１―２２５３２９において出願した。
【０００３】
【発明が解決しようとする課題】
しかしながら、上記従来のものでは、人体検出センサが人の動きを捉えて、センサ自体が正常に作動しているか否かの確認をすることはできても、人の動きを正しくとらえることは困難であった。つまり、人体検出センサの試運転時である運転検査時には、人体検出に必要な人体の動きを模擬的に行い、その動きを人体検出センサで捉えて、正常に作動するか否かを判定させていたが、人体の動きはあくまでも模擬的であるため、例えば動きの順序を誤った場合等適正な動きでない場合には、適正な運転検査ができない問題を有していた。
【０００４】
そこで、本発明は上記問題点に鑑み、適正な動きを撮像して、適正な運転検査の行える人体検出装置を提供することを課題とする。また、入浴者を検知できなかった場合には、検査の促進を図る必要もある。
【０００５】
【課題を解決するための手段】
上記課題を解決するために、本発明の人体検出装置は、人体の動きの有無を検出する人体検出センサと、給湯器等の操作手順を音声によりガイドする操作ガイド音声報知手段と、該操作ガイド音声報知手段により音声を報知する報知手段を有するリモコンと、前記人体検出センサが正常に動作するか否かを検査する運転検査手段とからなり、人体検出センサの運転検査時には前記報知手段により検査内容を報知する検査ガイド音声報知手段を設けたことを第１の特徴としている。
この第１の特徴によれば、人体検出センサの運転検査時には、操作ガイド音声報知手段により音声を報知する報知手段により検査内容を報知する検査ガイド音声報知手段を設けたことで、給湯器等の操作時に音声により操作手順等の案内を行う報知機能を利用して、人体検出センサの検査内容をアナウンスし、人とセンサとのコミュニケーションを図り、適正な動きを再現し撮像することが可能となる。ここに、検査内容とは人体検出センサが正常に動作するか否かを検査するため、例えば浴室の出入口の入口ドア付近で座る、立つを数回繰り返して人の存在を検知する検査、洗場の中央において座った状態で体を前後に揺らす検査、浴槽に浸かる動作の検査等を意味するものである。検査内容を報知するとは、上記した検査を誘導し案内するために順次その内容を音声によりガイドして報知することを意味する。具体的には、例えば「入口付近で座る、立つを繰り返して下さい」、「洗場で体を前後に揺らして下さい」、「浴槽に浸かって下さい」等を検査撮像に先立って音声で報知するものである。
【０００６】
また、本発明の人体検出センサは、人体の動きの有無を検出する人体検出センサと、給湯器等の操作手順を音声によりガイドする操作ガイド音声報知手段と、該操作ガイド音声報知手段により音声を報知する報知手段を有するリモコンと、前記人体検出センサが正常に動作するか否かを検査する運転検査手段と、人体検出センサの運転検査時には前記報知手段により検査内容を報知する検査ガイド音声報知手段と、前記運転検査手段を一定期間毎に作動させる定期動作手段とを設けたことを第２の特徴としている。
この第２の特徴によれば、上記の特徴に加え、運転検査手段を一定期間毎に作動させる定期動作手段とを設けたことで、定期的に人を検知すればセンサの検査を行うことができて、センサを安全な状態に維持することができ、音声ガイドに従って動作することで、その場でセンサの動作チェックを行うことができる。
【０００７】
また、本発明の人体検出装置は、人体の動きの有無を検出する人体検出センサと、給湯器等の操作手順を音声によりガイドする操作ガイド音声報知手段と、該操作ガイド音声報知手段により音声を報知する報知手段を有するリモコンと、前記人体検出センサが正常に動作するか否かを検査する運転検査手段と、人体検出センサの運転検査時には前記報知手段により検査内容を報知する検査ガイド音声報知手段と、前記運転検査手段を一定期間毎に作動させる定期動作手段と、一定期間経過後入浴者を検出出来ない場合は検査の催促を促す催告手段とを設けたことを第３の特徴としている。
この第３の特徴によれば、上記の特徴に加え、一定期間経過後入浴者を検出出来ない場合は検査の催促を促す催告手段を設けたことで、例えば給湯器の台所に設けたリモコンに催促の表示を行うことにより、検査の催促について注意喚起することができる。ここに催促の表示とは、たとえば「浴室に行って下さい」の文字を台所のリモコンの表示部に表示することにより行えばよい。
また、本発明の人体検出装置は、監視領域を所定時間間隔で撮像する撮像装置と、人体の動き量を前記所定時間間隔前後の両画像の比較により受光量の差として演算する動き量演算手段を有する人体検出センサと、給湯器等の操作手順を音声によりガイドする操作ガイド音声報知手段と、該操作ガイド音声報知手段により音声を報知する報知手段を有するリモコンと、前記人体検出センサが正常に動作するか否かを検査する運転検査手段とからなり、人体検出センサの運転検査時には前記報知手段により検査内容を報知する検査ガイド音声報知手段を設けたことを第４の特徴としている。
この第４の特徴によれば、上記の特徴に加え、監視領域を所定時間間隔で撮像する撮像装置と、人体の動き量を前記所定時間間隔前後の両画像の比較により受光量の差として演算する動き量演算手段を有する人体検出センサを使用することで、動き量の演算機能を利用して、検査状態をグラフ等により表示することができ、音声報知との併用により、人とセンサとのコミュニケーションの充実を図ることができる。
【０００８】
【発明の実施の形態】
以下、本発明の実施の形態について図面を参照しながら説明する。図１は本発明の一実施形態を示す全体構成図である。図２は本発明の一実施形態を示す電気回路のブロック図である。図３は人体検出センサの画像検出部の１画素を構成する画像コア回路の構成を示す回路図である。図４はセンサの撮像範囲と検知範囲及び検知領域との関係を示す説明図である。図５は本発明の一実施形態を示す制御フローチャートである。図６は本発明の一実施形態を示す人体停止検出のフローチャートである。図７は人体検出センサと温水機器とリモコンとの関係を示す一実施形態の説明図である。図８は人体検出センサと温水機器とリモコンとの関係を示す他実施形態の電気制御のブロック図である。図９は一実施例を示す記憶部の拡大図である。図１０の（ａ）は右下方へ向けて移動した物体の現画像と前画像を示す図、（ｂ）は前画像の明暗を各画素毎に示す図、（ｃ）は現画像の明暗を各画素毎に示す図である。図１１は画像の境界に対応する画素における明暗の変化を示す差分画像を表わした図である。図１２は一実施形態を示す電気回路ブロック図、図１３は一実施形態を示す人体監視のフローチャートである。図１４はリモコンと人体検出センサとの関係を示す電気ブロック図である。図１５は他実施形態を示すリモコンと温水機器と人体検出センサとの接続関係を示す電気回路図である。図１６は表示関係を示す電気ブロック図である。図１７は本発明の一実施形態を示す試運転手段の駆動フローチャートを示すものである。図１８から図２１はリモコンへの表示状態を示す説明図である。図２２は試運転手段の領域検知確認モードを示すフローチャートである。図２３は動き量の検出状態を示す説明図である。図２４は試運転手段の実動作確認モードを示すフローチャートである。図２５は本発明の一実施形態を示す電気ブロック図、図２６は検査時のフローチャートである。
【０００９】
図１は本発明の一実施形態の概略を示すものであって、浴室１の内部には浴槽２及び洗場３を設けてある。４は浴室１への出入口である。５は人体センサであり、浴室１の内壁面上部に取り付けてある。具体的には、浴槽２の長手方向に接する浴室壁面の上部位置に取り付けてある。温水機器４０には、該温水機器４０を遠隔位置から操作する浴室に設置した風呂リモコン６０及び台所に設置した台所リモコン７０を接続してある。
そして人体センサ５は、本実施形態では浴室１の壁面に取り付けているが、この例に限ることなく、浴室１の天井面に取り付けても良い。
人体センサ５は、人工網膜を利用した撮像装置を有し、浴室１における人体の動きを撮像して画像処理する人体検出センサ５１と、赤外線による熱検知により人体を検知する赤外線センサ５２とから構成している。撮像装置は浴室等の監視領域を所定時間間隔ごとに撮像するものである。人体検出センサは浴室に限られずトイレ、洗面所等に設置してもよい。
【００１０】
温水機器４０とは、湯水を加熱し浴槽等に供給するための機器であり、具体的には給湯器付風呂釜、給湯器付暖房機、温水暖房機、給湯器等により構成されている。
温水機器にはガスを燃料とするもののみならず石油を燃料とするものでもよい。
温水機器４０と、リモコン６０、７０と、人体検出センサ５１との接続については、本発明の一実施形態を示す図１のものにおいては、まず温水機器４０と台所リモコン７０とがケーブル４１により接続され、次に温水機器４０と風呂リモコン６０とがケーブル４１で接続され、さらに温水機器４０と人体検出センサ５１とがケーブル４１で接続されている。
そして、給湯器等を制御する前記リモコン６０、７０には、浴室１に入浴者がいることを知らせる液晶表示パネル等の表示手段を有しており、人体センサ５が入浴者を検知して、検知信号を出力すると、表示手段が点灯等表示するようになっている。
表示手段は上記のものに限られず、入浴者の動きが一定時間無かった場合、浴槽で寝ているかまたは倒れたと推測し、まず風呂リモコン６０で警報音あるいは音声により注意を喚起し、浴室側から応答が所定時間内にない場合には、台所リモコン７０において警報音あるいは音声により家族等の他者に警報報知するようにしてある。
【００１１】
そして、温水機器４０には熱交換器及びバーナが内蔵されており、制御のための各種センサを設けてある。
また、温水機器４０から浴槽２に対して給湯落し込み管４６が接続配管されている。また、人体センサ５を作動させるための電源は、温水機器４０の電源プラグ４７から導入され、温水機器４０のコントローラ４２部の図示しないトランスを介して降圧され低電圧化されて供給される。尚、人体センサ５には退室時にセンサの作動を停止させるための退室スイッチ８０を接続してある。
【００１２】
図２は人工網膜チップを利用した人体検出センサ５１と、赤外線センサ５２とからなる人体センサ５の具体構成を示したものである。
人体検出センサ５１は、監視領域を所定時間間隔で撮像する撮像装置６と、撮像装置６を制御すると共に撮像画像を処理、判定等するマイクロコンピュータからなる制御装置７とその周辺部材から構成されている。
また、制御装置７と前述したリモコン６０、７０とは、例えば、後述する通信ＩＣ等の通信部５３により送受信するようにしてある。
そして、人体検出センサ５１の他に赤外線センサ５２を同一のケース体内に設け、その制御装置７を共用し、浴室１が暗い場合の監視の相互補填を行なうようにしてある。
【００１３】
前記撮像装置６の撮像部８は、縦１２８×横１２８画素からなる解像度の画像検出部９、結像レンズ１０、スキャナ１１、マルチプレクサ１２及びスキャナ駆動制御部１３から構成されている。画像検出部９は縦３２×横３２画素を用いても良く、また多数の画素の一部で画像の検出処理をしても良い。画像検出部９の画素はそれぞれモノクロ２５６階調「レベル０（黒）〜２５５（白）の２５６階調」で表現される。
【００１４】
そして、撮像部８においては、浴室内の画像は、結像レンズ１０によって画像検出部９に結像される。スキャナ１１は、スキャナ駆動制御部１３によって駆動制御されており、スキャナ駆動制御部１３は画像検出部９の各画素列を順次一定周期毎に受光状態（オン状態）となるように制御している。
受光状態となった１列の各画素から同時に出力された光電流は、マルチプレクサ１２によって複数の電気信号は１つの電気信号にまとめられ、増幅器１４で増幅された後、アナログ電圧として出力される。アナログデータからデジタルデータへの変換は制御装置７の変換器により行うようにしてある。
【００１５】
また、画像検出部９の各画素は、図３に示すように画素コア回路１７によって構成されている。画素コア回路１７は受光素子１８、電荷蓄積回路１９、感度可変回路２０から構成されており、感度可変端子２１及びリセット端子２２がスキャナ１１に接続され、光電流出力端子２３がマルチプレクサ１２に接続されている。
【００１６】
図２においてゲイン調整部１６は、画像出力部１５における画像平均値（画像の明るさ）をチェックし、画像平均値が適切な範囲から外れていれば、増幅器１４によって撮像装置６のゲインを調整すると共にスキャナ駆動制御部１３によって画像検出部９の蓄積時間を調整し、適正な明るさの画像が得られるように調光する。この調光は後述する分割された各検知領域毎に行ってもよい。
【００１７】
人工網膜を用いた撮像装置６では、画像平均値は、画像検出部９を構成する全画素における階調（０階調（黒）〜２５５階調（白）の２５６階調）の平均値であり、０〜２５５の値で表わさせる。
この画像平均値は増幅器１４のゲインと画像検出部９の蓄積時間によって決定される。
ここで、ゲインはカメラの絞りに相当し、蓄積時間はカメラのシャッタースピードに相当する。従って、撮像装置６の適正な画像平均値を得ようとすれば、適当なゲインに固定しておき、蓄積時間を調整すればよい。あるいは、適当な蓄積時間を固定しておき、ゲインを調整すればよい。
【００１８】
そして、図２において少なくとも撮像をおこなう画像検出部９とスキャナ１１とスキャナ駆動部１３とゲイン調整部１６とは１チップで構成されている。このチップは人工網膜チップと称される。
また、このチップの裏面位置には、制御装置７を設けてあり、この制御装置７は各種のソフトウエアを組み込んだマイクロコンピュータからなり、この内部には人体検出センサ５１による検知処理を行なう検知領域を複数の領域に分割する領域分割手段２４等をソフトウエアーとして組み込んである。
【００１９】
具体的には、図４に示すように、制御装置７に入力された画像情報を処理するためのポイントテーブル２５を複数域に分割するものである。
すなわち人体検出センサ５１による検出可能な撮像能力範囲（ポイントテーブル２５全体に相当）を、まず画像処理の必要な検知領域２６と、画像処理を行なわない非検知領域２７とに区画している。
すなわち、撮像能力範囲のすべてを検知領域とはしていない。
これにより検出処理可能な検出処理領域のうちの一部を、実際に検知し処理するセンサ検知領域として使用することで画像の処理範囲を限定して、画像処理の速度を早めている。
さらに前記の検知領域２６を、図４のように、入口領域２９と洗場領域３０と浴槽領域３１との３つの領域に分割するようにしてある。検知領域２６の分割については、この例に限られることなく、入口領域２９と該入口領域２９以外の領域の２つに分割してもよい。例えば、洗場領域３０及び浴槽領域３１を合わせて１つの領域に設定しても差しつかえない。ここに入口領域２９とは、浴室の場合には浴室内であって浴室への出入口ドアの近傍に位置する領域をいう。洗場領域３０とは、主として頭や体を洗う床部の領域をいい、また、浴槽領域３１とは浴槽が位置している領域をさす。このように分割された領域毎に、順次画像情報が制御装置７に入力されて、各領域毎の各画素毎に検出、演算等の処理がなされるのである。
【００２０】
そして、人体センサ５１を構成する結像レンズ１０と撮像装置６と制御装置７とは、前記赤外線センサ５２と共に１つのケースに納められ、人体センサセットとして壁面等に取り付けられる。取り付け位置は浴室への出入口４を含め、浴室１全体を視野角に納めるようにすれば良い。
【００２１】
そして、撮像装置６の検知出力と赤外線センサ５２の検知出力はそれぞれ判定手段３２へ入力される。判定手段３２は撮像装置６からの出力と赤外線センサ５２からの出力に基づき、浴室における入浴者の有無や入浴者の動きなどを総合的に判断するようになっている。
【００２２】
人工網膜チップにより検出した画像は次のように画像処理される。
画像を制御、処理する制御装置７は、画像検出部９を構成する全画素から画像情報を一定時間毎に受信し、一定時間毎に画像情報を受け取ると、該画像情報を処理し、判定手段３２により入浴者の動きを判定するのである。
【００２３】
次に、撮像装置でとらえた画像から人の動きを抽出するための画像処理方法を説明する。
マイクロコンピュータで構成される制御装置７は、所定時間毎に画像情報を受け取ると、当該画像情報から入浴者の動きを所定の解析アルゴリズムに従って解析し、入浴者の動きを監視する。
【００２４】
具体的には、いま図１０（ａ）のように正方形の物体の画像（明画像）Ｐが位置Ｐ１から位置Ｐ２へ移動したとする。このとき、明るい画素を記号Ｂ、暗い画素を記号Ｄで表わせば、前画像は図１０（ｂ）で表わされ、現画像は図１０（ｃ）で表わされる。この前後の画像は、図１２の画像記憶手段１１５により一旦記憶される。撮像された画像は順次更新され常に最新の両画像が記憶されるようになっている。そして動き量演算手段１１１により、分割された領域毎に前記２枚の画像が比較されて、各領域の各画素（ｘ、ｙ）毎に、前画像ｐの受光量Ｐｐ（ｘ、ｙ）と現画像ｎの受光量Ｐｎ（ｘ、ｙ）との差分（動き量）
Ｄ（ｘ、ｙ）＝Ｐｎ（ｘ、ｙ）−Ｐｐ（ｘ、ｙ）
が演算され、演算結果は図１１のような差分画像として得ることができる。図１１の差分画像においては、差分Ｄ（ｘ、ｙ）が正の画素は＋記号で表わし、負の画素は−記号で表わし、Ｄ（ｘ、ｙ）がゼロの画素は０記号で表わしている。このような差分の総和を捉えることで、動きがあるか否かを各領域毎に判定することができ、この判定は動き有無判定手段１１４にて行われる。動き量が生じていなければ「動き無し」と判定され、生じていれば「動き有り」と判定される。
【００２５】
一方、動き有無領域検出手段１１２により、分割された領域毎に動きのある領域か否かを検出するようにしてある。すなわち、撮像装置６で撮像された撮像画像は、入口領域２９、洗場領域３０及び浴槽領域３１の順に一定時間毎に制御装置７に読み込まれ、この画像データを解析することで動きのある領域を検出するようにしてある。この検出は例えば、前述した動き量の生じた領域を動きのある領域として検出すればよい。あるいは、人の動きにより生じる電圧の変化を捉えて、変化のある領域を動きのある領域であるとして、その領域を検出するようにすればよい。そして、動きの発生している領域が、予め特定された領域に該当するか否かを特定領域該当判定手段１１３により判定するようにしてある。特定領域とは、浴槽領域３１又は洗場領域３０を意味し、入口領域２９を除く領域である。動きのある領域が特定領域か否かは、例えば信号が符合するか否かにより、あるいは他の検知領域を順次検索して特定領域以外の領域で動きがなければ特定領域に該当すると判断させている。このような検索は、動きの有無と動きのある領域の信号から、順次状態を遷移させてマイクロコンピュータ内で検索させている。
【００２６】
また、人体検出センサ５１は感度を自動調整するための感度調整回路（図示せず）を備えており、浴室内が暗い場合には感度を高くし、浴室内が明るい場合には、感度を低くすることによって検出精度が高くなるようにしている。
【００２７】
次に、浴室１に人が入室したか否か等の判別について説明する。事前に温水機器のリモコンのスイッチをオンしておく。
図５において、人が浴室１に入り始めると、まず待機状態にある赤外線センサ５２が人体を検知してオンとなる（ステップＳ１）と共にタイマセットされ（ステップＳ２）、人体検出センサ５１が一定時間内に洗場において人を検知すると（ステップＳ３）、入室したものと判断する（ステップＳ４）。
この入室判定において、人体検出センサ５１による人体検知には撮像及び動き量の演算等に時間を要すること、あるいは浴室１が暗い場合には監視感度が鈍いことから、赤外線センサ５２を併用し、赤外線センサ５２が検出した後、人体検出センサ５１が共に人を検出することで、人体検出センサ５１の弱点を補い、入室の確実を期しているものである。
【００２８】
また、浴室１からの退出時においても、赤外線センサ５２がオフとなった場合（ステップＳ５においてノーの場合）で、かつ、人体検出センサ５１が動き量を検知しない場合（ステップＳ６においてノーの場合）に、退室スイッチ８０をオフすることで、浴室１から退出したものと判断させている（ステップＳ７）。
赤外線センサ５２のみでは入口部に立ち止まったままであるとオフとなり、退出したものと誤って判断することが有り得るので、両センサの人体非検出により退出判定できるようにして、この赤外線センサ５２の弱点を他のセンサを使用することで補完している。
【００２９】
そして、人体検出センサ５１が洗場３において人を検知しなかった場合（ステップＳ３でノーの場合）でも、浴槽２において人を検知すると（ステップＳ８）、所定時間内に赤外線センサ５２及び人体検出センサ５１が共に人を検知している場合には（ステップＳ９、Ｓ１０）、入室しているものと判断することとしている（ステップＳ４）。
なお、入室したものと判定したのちはセンサの検知継続時間を平均的な入浴時間に見合うようにタイマセットしてもよい。
【００３０】
また、人体検出センサ５１の取り付けは、浴室１の天井あるいは浴室壁面上部位置であり、この位置は標準的な浴室において洗場３及び浴槽２を設けた浴室内の人の動きを俯瞰できる最適位置である。人体センサ５を構成する人体検出センサ５１と赤外線センサ５２とは１つのケース内に収納することで、取付けし易く、点検も容易となる。
【００３１】
次に装置全体を構成するセンサ、リモコン等の各部材間における他の実施例の接続構成について図７を用いて説明する。
風呂リモコン６０と台所リモコン７０とは、有線のリモコンのケーブル４１によってそれぞれ温水機器４０内のコントローラの制御部９０に接続されている。
【００３２】
また、人体検出センサ５１はケーブル４１により風呂リモコン６０に接続されている。この風呂リモコン６０には、ケーブル４１を接続するための接続用の端子８５を設けてあり、人体検出センサ５１を作動させるための電源をこの風呂リモコン６０から供給するようになっている。
人体検出センサ５１と温水機器４０あるいはリモコン６０、７０との接続は、上記の例に限られず、図８に示されるように人体検出センサ５１から通信ＩＣを経て、温水機器４０と接続する台所リモコン７０から風呂リモコン６０を介して接続してもよい。また通信ＩＣを介して台所リモコン７０、風呂リモコン６０及び温水機器４０の順序で接続してもよい。あるいはまた、図１５に示されるように、人体検出センサ５１と温水機器４０とは直接的に、風呂リモコン６０と台所リモコン７０との接続と同様に、通信ＩＣを介して接続してもよい。さらに、トイレに設置する場合には、トイレ内に設置した人体検出センサ及びシャワー便座のリモコンをシャワー便座本体と接続し、一方居間等に設置した報知部とシャワ便座本体とを通信ＩＣを介して接続するようにすればよい。
【００３３】
そして図７において、制御部９０には、温水機器４０を制御する給湯器制御部９１と、人体検出センサ５１による異常検出信号により作動し前記各リモコン６０、７０に設けたスピーカ等の報知手段６１、７１を動作させる報知動作部９２と、報知手段による報知を解除する報知解除部９３とを設けてある。
なお、これら報知動作部９２及び報知解除部９３は、センサ側あるいはリモコン側に設けてもよい。これにより温水機器側の制御負担を少なくできる。
【００３４】
また、風呂リモコン６０には報知を解除するための報知解除手段６２であるインターホンスイッチ、温水機器を操作するための操作用のスイッチ６３、表示を行うための液晶表示板、タッチパネル等の表示手段６４が設けられている。リモコンの運転スイッチにより報知解除するようにしてもよい。
また台所リモコン７０には報知を解除するための報知解除手段７２であるインターホンスイッチ、温水機器を操作するための操作用のスイッチ７３、表示用の表示手段７４が設けられている。
また、各リモコンに設けた音声報知のための報知手段６１、７１は、スピーカと音声ＩＣとにより構成することを推奨する。
【００３５】
さらに、報知解除手段７２による報知解除がなされない場合において、緊急連絡用の特定電話番号に発信する電話発信部１００を制御部９０内に設けてもよい。
【００３６】
図８は人体検出センサ５１と各リモコン６０・７０、温水機器４０間の通信接続関係を示す回路図の一例であり、本実施例は通信ＩＣを使用して接続してある。
人体検出センサ５１には前述した撮像装置６の他、制御装置７、通信用の通信ＩＣからなる通信部５３を設けてある。
この通信部５３は、アナログ通信部５５とデジタル通信部５６とにより構成してあり、アナログ通信部５５は例えばＡＳＫ（ａｍｐｌｉｔｕｄｅ　ｓｈｉｆｔ　ｋｅｙｉｎｇ）方式で構成すればよい。また、デジタル通信部５６は例えばＱＰＳＫ（ｑｕａｄｒｉ　ｐｈａｓｅ　ｓｈｉｆｔ　ｋｅｙｉｎｇ）方式の他、Ｍ１６ＱＡＭ、ＧＦＳＫ、ＢＰＳＫ等のデジタル高速変調方式を採用すればよい。
【００３７】
風呂リモコン６０には、前述した操作スイッチの他に、ドットマトリックス表示部からなる表示手段６４、風呂リモコン制御部６５、通信用の通信ＩＣからなる前記同様のアナログ通信部６６、デジタル通信部６７を設けてある。また、風呂リモコン６０には、スピーカ等６１に報知用の音声ＩＣ６８、ＰＣＭコーディック６９を設けてある。このＰＣＭコーディック６９は、例えばＡＤＰＣＭ、ＤＰＣＭなどのＰＣＭ（ｐｕｌｓｅ　ｃｏｄｅ　ｍｏｄｕｌａｔｉｏｎ）方式により、音声情報や映像情報を符号化及び復号化するものである。
【００３８】
また、風呂リモコン６０のインターホンスイッチ６２は通話ボタンの押し操作により、台所リモコン７０に設けたインターホンのスピーカと通話状態とするものである。マイクロホンスイッチと兼用させてもよい。そして、インターホンには、人体の動きの停止を検出したとき、あるいは報知手段による警報を発したときに、通話ボタンの押し操作なしに、風呂と台所との通話を可能にしインターホンを通話可能に作動させるインターホン作動手段１２０を設けてある。このインターホン作動手段１２０はマイクロコンピュータ内にソフトウエアとしてプログラムされているものであって、マイクロコンピュータ自体は風呂リモコンに設けてもよく、または人体検出センサ５１あるいは温水機器のコントローラ内に設けてもよい。図１２のものでは人体検出センサ５１の制御装置７のマイクロコンピュータにプログラムされている。風呂リモコン６０のリモコンケースには、ケーブル４１を接続するための接続用の端子８５を設けてあり、ケーブル４１により温水機器４０と接続する台所リモコン７０を介して風呂リモコン６０を経て、人体検出センサ５１に作動用の電源を供給するようになっている。
【００３９】
また、前記人体検出センサ５１には、後述する音声記憶部及び画像記憶部とからなるデータ記憶部５４を設けてある。
台所リモコン７０には、前述した操作スイッチ７３の他、ドットマトリックス表示部からなる表示手段７４、台所リモコン制御部７５、アナログ通信用の通信ＩＣからなるアナログ通信部７６、デジタル通信用の通信ＩＣからなるデジタル通信部７７を設けてある。７８は音声ＩＣでスピーカ等７１に報知用のＩＣである。７９はＰＣＭコーディックである。また、台所リモコン７０のインターホンスイッチ６２はその通話ボタンの押し操作により、風呂リモコン６０に設けたインターホンのスピーカと通話状態となるものである。マイクロホンスイッチと兼用させてもよい。そして、前記同様に、人体の動きの停止を検出したとき、あるいは報知手段による警報を発したときに、通話ボタンの押し操作なしに、風呂と台所との通話を可能にしてインターホンを通話可能に作動させるようにしてある。
温水機器４０には、前述した制御部９０、給湯制御部９１の他、通信用の通信ＩＣからなるアナログ通信部９５、商用電源を低電圧化するためのトランス９６等を設けてある。
【００４０】
そして、人体検出センサ５１のアナログ通信部５５及びデジタル通信部５６は、風呂リモコン６０のアナログ通信部６６及びデジタル通信部６７と接続され、該風呂リモコン６０のアナログ通信部６６及びデジタル通信部６７は、台所リモコン７０のアナログ通信部７６及びデジタル通信部７７を介して温水機器４０のアナログ通信部９５と接続されている。
これら通信部間のケーブル４１線は電力重畳式の二芯ケーブルを使用し、センサ用の信号と通常の給湯制御用の制御信号と重畳して伝送するようにしておけばよい。
【００４１】
図９は人体検出センサを操作し、報知手段に報知させるため人体検出センサに設けたＥＥＰＲＯＭ等から構成したデータ記憶部５４の内容を示す説明図である。
【００４２】
図９において音声記憶部１０１は、前述したリモコンの報知手段６１、７１に音声を報知させるための音声データを記憶させたものである。この音声記憶部１０１は、給湯器等の操作手順を報知するための音声データを記憶させた操作ガイド音声記憶部１４１と、入浴者に対して「動いて下さい」と言うメッセージで体を動かす動作の要求を報知するための音声データを記憶させた動作要求報知音声記憶部１０７と、入浴者の動きが停止して所定時間経過した場合に他者に「浴室を見に行って下さい」と言う警報を発するための音声データを記憶させた警報報知音声記憶部１０８と、人体検出センサの運転検査時に検査の内容を報知するための音声データを記憶させた検査ガイド音声記憶部１４２とから構成してある。
【００４３】
１０２は画像記憶部であり、前記リモコンに設けた表示手段６４、７４に人体検出用の画像を表示させるための画像表示データを記憶させたものである。
この画像記憶部１０２は、人体検出に必要な機能を画像により表示するためのものであり、例えば人体検出の初期操作に必要な画面を表示手段に表示するための画像データを記憶させる操作用画像記憶部１０３、人体の動きが停止した状態を前記表示手段に表示する画像データを記憶する停止画像記憶部１０４、報知手段を報知させた状態を前記表示手段に表示するための画像データを記憶する報知用画像記憶部１０５及びその他画像を表示するために必要なデータを記憶させるその他記憶部１０６から構成してある。その他記憶部１０６には、動きのある画像を表示するため複数枚の静止画像データを記憶させてある。この動きのある画像とは、人体の実際の撮像画像ではなく、人体が動いていることを示す擬似的な画像、例えば動きのある人形のアニメーションのような画像を意味するものである。動きのある画像のみならず停止画像についても、擬人化することで、プライバシーの保護を図っている。浴室情報記憶手段１０９は、初回運転時である試運転時に人体検出に必要な浴槽、浴室情報を記憶させるためのものである。例えば、浴槽の大きさ、色彩、形状、浴室床面の色彩、壁面の色彩等の浴室情報を入力することにより、人体検出センサのしきい値等を補正して最適な状態で動きを検知するためのものである。
【００４４】
なお、画像記憶部１０２は、本実施例では人体検出センサ５１側に設けているが、この例に限られず、図１６に示すように、リモコン側例えば風呂リモコン６０の風呂リモコン制御部６５のマイクロコンピュータに一体的あるいは別体的に設けてもよい。そして、風呂リモコン制御部６５には、画像記憶部１０２のその他記憶部１０６から画像データを呼び出して表示手段６４、７４に表示するための動き画像表示手段１３３をプログラムしている。この動き画像表示手段１３３は、動き量演算手段１１１による動き量の検出の信号により作動するようになっている。そして、複数枚（たとえば５枚）の静止画像を一定時間間隔で順次表示手段の画面に表示させることで、残像により動く画像を形成することができる。
【００４５】
また、風呂リモコン制御部６５には、画像記憶部１０２のその他記憶部１０６から前述した複数枚の静止画像の中から停止状態に見合った１枚の静止画像のデータを呼び出して表示手段６４、７４に表示するための停止画像表示手段１３４をプログラムしている。この停止画像表示手段１３４による表示は、表示の解除手段により解除される。解除手段は、例えば人体の動きの検出による検出信号を受けて解除されるようになっている。解除と同時に、動き画像を表示するようにしてもよい。
【００４６】
また、停止画像表示手段１３４は、判定手段３２による人体の停止判定の信号により作動するようになっている。風呂リモコン制御部６５には、停止画像表示手段１３４による表示を解除して、動き画像表示手段１３３を作動させ、動きのある画像に切り替えるための切替手段１３５をプログラムしている。切替手段１３５は、具体的にはリモコンの運転スイッチ１２９による信号により作動するようにしてある。
【００４７】
そして、人体検出の操作に際しては、予めリモコンの操作スイッチを操作して、人体検出センサ５１側の操作用画像記憶部１０３から操作に必要な初期画面画像を表示手段６４、７４に呼出して表示させ、その画面から特定の画面を選択して操作を開始する。２回目からは、これらを記憶させて使用すればよい。操作と同時に、人体検出センサ５１側の操作ガイド音声記憶部１４１から音声データの一部を呼出して、スピーカ等の報知手段６１、７１により音声で報知させる。操作ガイド音声記憶部１４１は例えば、給湯温度の設定を変更した場合には「給湯温度が変更されました」、自動給湯する場合には「自動湯張りします」のように操作手順を音声データにより記憶させたものである。
【００４８】
次に、前述したように入室判断がされると、図６に示されるように、人体停止の検出フローに入り、撮像装置６によって前述したように所定時間間隔で人体を撮像し（ステップＳ１１）、撮像した前画像と所定時間後の現画像とを一旦制御装置７に記憶させる（ステップＳ１２）。
【００４９】
次に、制御装置７にプログラムされた動き量演算手段１１１により、各領域毎の各画素毎に、前画像の受光量と現画像の受光量との差分（動き量）を演算する（ステップＳ１３）。動き量演算による人体の動きの検出により、画像記憶部１０２から画像データが呼び出されて、動き画像表示手段１３３によって表示手段６４、７４に動きのある画像が表示される（ステップＳ２１）。この動きのある画像は例えば、手を動かしているアニメーション、体を上下、左右に動かしている画像により構成すればよい。具体的には、絵柄の若干異なる複数枚の静止状態の絵図等により構成すればよい。一方、前記動き有無領域検出手段１１２により、動きの発生している領域が検出される（ステップＳ１４）。
【００５０】
そして、これらの情報は制御装置７の判定手段３２に送られる。判定手段３２においては、動きの生じている領域が予め特定された領域、すなわち、浴槽領域３１又は洗場領域３０に該当するか否かを、特定領域該当判定手段１１３によって判定するのである。さらに、判定手段３２においては平行して、動き有無判定手段１１４により動きがあるか否かを判定するのである。
【００５１】
動きが生じている領域が、浴槽領域３１又は洗場領域３０に該当する場合（ステップＳ１５でイエスの場合）において、かつ、動きがないと判定されたとき（ステップＳ１６でイエスのとき）には、浴室内で入浴者が倒れたものと推定して、人の動きが停止したものと判定している（ステップＳ１７）。
この停止判定により、次の報知警報のステップに移行するようになっている。
【００５２】
また、浴槽、洗場領域において、動きがあると判定された場合（ステップＳ１６でノーの場合）には、前記同様に撮像、演算、判定が所定時間時間毎に更新して繰り返されるのである。さらに、ステップＳ１５において、動きが生じている領域が浴槽又は洗場領域以外の場合（ステップＳ１５でノーの場合）であって、その後動きがないと判定された場合（ステップＳ１８でイエスの場合）には、赤外線センサ５２のオフ（ステップＳ１９でイエスの場合）を前提条件に、退室スイッチ８０がオフされることで、浴室から退出したものと判断するようにしている（ステップＳ２０）。また、動きが生じている領域が浴槽又は洗場領域以外の場合（ステップ１５でノーの場合）であって、その後も動きが継続しているとき（ステップＳ１８でノーのとき）は、浴室入口付近で活動していると考えられるから、継続して監視がなされるのである。このように、入口領域で立ち止まっているときであっても、停止したものとは判断されないことにより、誤判定による警報を生じさせることがなくなるのである。
【００５３】
次に、図１３に示す人体監視フローについて説明する。
前述したように停止判定がなされた場合には（ステップＳ３０）、停止判定の信号が出力されて、動きのある画像を停止すると共に停止画像表示手段１３４が作動して、停止状態を示す画像が表示手段６４、７４に表示される（ステップＳ３０）。つまり、動き画像が停止し、代わって停止画像が表示されることとなる。これにより、入浴者は動き始める等の意識付けがなされ、また、家族の者は警報前に浴室の状態を把握できる。この停止画像は、前述した動きのある画像の一部を構成する１枚の静止画像を利用して構成してあり、画像を共用することで画像作成が簡素化される。また、リモコンの表示部をドットマトリックス表示とすることで、画像を共用しても、絵柄のずれが生じにくくなり、外部からの画像の確認を行いやすい。
【００５４】
そして、人体検出センサ５１の制御装置７に設けたタイマ手段１１７が停止カウントの作動を開始する（ステップＳ３１）。このタイマ手段１１７は、判定手段３２による停止判定の信号によりスタートし所定時間をカウントするものである。この所定時間は２段階に分かれており、第１段階の所定時間は例えば９０秒、これに続く第２段階の所定時間は３０秒に設定してある。所定時間はこの例に限られることなく、これ以外に任意に設定することができる。
【００５５】
そして、タイマ手段１１７と表示手段６４、７４との関係は、タイマ手段１１７は人体検出センサ５１の制御手段であるマイクロコンピュータのクロック機能を利用して、通常時においては時刻をカウントしている。この時刻の表示は風呂リモコン６０に設けた風呂リモコン制御部６５のマイクロコンピュータの時刻表示手段１３０によって、風呂リモコン６０の表示手段６４に表示されている。また、風呂リモコン制御部６５のマイクロコンピュータには、停止判定後のタイマ手段１１７によるカウント開始から設定時間経過後に、表示手段６４にカウントの表示を行うためのカウント表示手段１３１を設けてある。また、風呂リモコン制御部６５のマイクロコンピュータには、表示手段６４の画面を、時刻表示からカウント表示に切り替える切替表示手段１３２を設けてある。
【００５６】
そして、図１３において、停止判定後において設定した時間が経過すると（ステップＳ４０でイエスの場合）、カウント表示手段１３１により表示手段６４、７４に数値が表示される（ステップＳ４１）。数値に代えて時間経過に応じた異なる絵図で表示してもよい。ここで、カウントは開始されているが、カウントの表示のみを、停止判定時であるカウント開始時よりも設定時間遅らせることで、入浴者にとっては、停止後すぐにカウントされることによる不安感を払拭することができる。また、後述する動作要求に応じて、動きを開始した場合にはタイマ解除されて、カウント表示自体を省略することができて、時計表示への切り替えの回数を少なくすることができる。
【００５７】
さらに、動きの無い状態が第１の所定時間（９０秒間）継続すると（ステップＳ３３）、動作要求信号が人体検出センサ５１側より出力され（ステップＳ３４）、風呂リモコン６０から入浴者に対して動作要求の報知がなされる（ステップＳ３５）。この報知手順については、人体検出センサ５１側の音声記憶部１０１の動作要求報知音声記憶部１０７と画像記憶部１０２の停止画像記憶部１０４から、停止した場面に対応する予め記憶させた情報を読み出して、アナログ通信部５５及びデジタル通信部５６を介して伝送し、リモコン部に音声で報知すると共に画像で表示する。
【００５８】
この報知は具体的には、例えば「浴室での動きがありません。動いて下さい」という音声情報および文字画像によって報知するようにすればよい。浴槽内ではじっとしていると動きが止まる場合があるので、入浴者に対して動きを要請して、人体検出センサの誤警報を防ぐためである。この報知は浴槽に浸かって動きがなくなってしばらくしてから、すなわち、停止判定後であって所定時間経過後に行われる。従って、浴槽に浸かった直後に動作要求がなされることはなくなる。
【００５９】
停止判定後上記所定時間内に、人体検出センサ５１が人の動きを検出した場合には（ステップＳ３２でノーの場合）、入浴者は健在であると推測でき、タイマは解除される（ステップＳ４２）。そして同時に、人体の動きの検出による検出信号を受けて停止画像表示手段１３４による停止画像の表示が解除される（ステップＳ４３）。解除されたのち、動き画像表示手段１３３により、動き画像を再び表示するようにしてもよい。これにより、遠隔場所に居る家族の者は停止後動き始めたことを知ることができる。
【００６０】
そして、動作要求が報知された後（ステップＳ３５）においても依然として動きのない停止状態が第２の所定時間（３０秒間）継続した場合には（ステップＳ３６、３７でイエスの場合）、異常状態と判定され、判定手段３２から異常検出信号を出力し、音声記憶部１０１の警報報知音声記憶部１０８及び画像記憶部１０２の報知画像記憶部１０５から、他者に異常状態を知らせるための予め記憶させた情報を、通信部５３を介して伝送し、温水機器の各リモコンの報知手段６１、７１に音声で警報すると共に表示手段６４、７４に画像で表示する（ステップＳ３８）こととしている。
【００６１】
この警報（ステップＳ３８）は具体的には、例えば「浴室を見に行って下さい」という音声情報および文字画像によって警報するようにしてある。これにより、人体検出センサ５１による人体の異常情報を浴室のみならず台所に同時に警報することができる。
【００６２】
この警報信号は、通信ＩＣからなる通信部を介して、図８のように伝送する。すなわち、人体検出センサ５１に設けた音声記憶部１０１、画像記憶部１０２から、音声及び画像データを前述した信号に応じて呼び出し、アナログ及びデジタル通信部６６、７６を介して台所リモコン７０に伝送し、台所リモコン７０に設けられたスピーカ等の報知手段７１及び表示手段７４に報知及び表示する。画像の検出、処理は前述した各領域２９、３０、３１毎に行っているので、報知及び表示のための応答速度を早めることとなる。
【００６３】
インターホンはすでに通話可能状態となっているので、体は動かないが声を出すことのできる入浴者は、通話ボタンを押さなくても、異常状態の緊急時には声を出しさえすれば、直ちに浴室外の家族と連絡をとることができて便利なものとなる。
【００６４】
動作要求報知後所定時間内に、人体検出センサ５１が人の動きを検出した場合には（ステップＳ３６でノーの場合）、入浴者は健在であると推測でき、前記同様にタイマは解除される（ステップＳ４４）。そして同時に、人体の動きの検出による検出信号を受けて停止画像表示手段１３４による停止画像の表示が解除される（ステップＳ４５）。解除されたのち、動き画像を再びリモコンの表示手段６４，７４に表示するようにしてもよい。これにより、警報報知に至るまでの浴室内の状態を遠隔場所から把握することができる。
【００６５】
そして、警報報知がなされた後は、家族の者が浴室に駆けつけ、救助を行うこととなる。報知、停止画像表示の解除は例えば、運転スイッチ１２９のオフ操作によって行えばよい（ステップＳ３９）。運転スイッチオフの後、再び動き量を検出することにより、動き表示ができるようにしておけばよい。
【００６６】
次に、人体センサを浴室に取り付けた後、始めて使用する場合の運転検査について説明する。
運転検査は、試運転時検査と試運転後一定期間経過後の定期運転検査とを含む概念である。また、試運転と同時に人体センサの初期設定を行うようにしてあり、初期設定をしなければセンサは機能しないようになっている。この運転検査手段１４０は前述した制御装置７のマイクロコンピュータ内にソフトウエアとして組み込まれている。
【００６７】
図１７は試運転に移行するまでのフローであり、初期設定を行ったのち試運転モードに入るようになっている。試運転に際してはまず、温水機器４０の風呂リモコン６０に設けた運転スイッチ１２９をオンとする（ステップＳ５０）。
【００６８】
次に、図１４に示す風呂リモコン６０に設けた設定スイッチ１２６を適宜押すことでセンサの設定を選択する（ステップＳ５１）。この設定スイッチは１回押す毎に画面設定の確定と画面の切り替えとができるようになっている。設定の変更時には、操作ガイド音声報知手段１４３により「設定が変更されました」と音声によりガイドされる。センサの設定を選択したときの表示手段６４の表示画面は、図１８に示されるような表示状態となる。ここで設定スイッチ１２６をオンする（ステップ５２）と、画面が切り変わって、図１９に示される画面となる。
この画面からセンサの検知に必要な浴槽あるいは浴室情報を選択して必要な項目、データ類を入力する（ステップＳ５３）。ここに浴室情報とは、例えば浴室のサイズ、浴室ドア位置（ドアの方向）等を意味するものである。選択スイッチ１２７、１２８を押すことで最適な数値等を選択したのち、設定スイッチ１２６をオンしてその内容を確定し、前述した浴室情報記憶手段１０９に送信して記憶させる（ステップＳ５４）。
【００６９】
必要な項目が設定され記憶されると（ステップＳ５５でイエスの場合）、２つの選択スイッチ１２７、１２８を同時にオンする（ステップＳ５６）。これにより、画面は図２０に示す画面となり試運転モードを選択できる状態となる。この画面から選択スイッチ１２８を押して「試運転」を選択し、設定スイッチ１２６をオンすることで、図１７に示す試運転モードに移行する（ステップＳ５７）。試運転モードは、各領域毎の動き量を検知して検知状態を確認しうる領域検知確認モードと、実動作に対応して画像等の表示、音声による報知が正常になされるか否かを確認する実動作確認モードとの２つのモードから構成されている。
【００７０】
図２２に示すフローは、前記した領域検知確認モードを示すフローチャートであり、検知確認に際しては、まず浴室の出入口４の入口ドア付近で座る、立つを数回繰り返して行う（ステップＳ５８）。検査のための音声ガイドは、人体検出センサ５１による人体検知により、図２５に示す検査ガイド音声報知手段１４４を介してリモコンの報知手段６１で行えばよい。このとき図２３に示すように風呂リモコン６０の表示手段６４のＡ部にバー表示が３ドット以上表示されると（ステップＳ５９）、入口領域２９における人体検出センサ５１による動き量の検知は正常であることが確認できる。このように、人体検出センサが正常に動作するか否かを動き量演算手段１１１を使用して確認する試運転手段を設けたので、受光量を画素データとして取り込み、デジタルデータ化できることでバー表示等のグラフィック化ができ、目視確認が容易となり、センサの検知が正常か否かの確認が行い易くなるものである。検査の内容は「座る、立つを数回繰り返して下さい」と音声により、誘導されるので、人は確実に動作を行え、センサは正確な動きを検知できる。
【００７１】
次に、検査ガイド音声報知手段１４４を介して、検査ガイド音声記憶部１４２から「洗場３の中央で座った状態で体を前後に揺らして下さい」とのアナウンスを行う（ステップＳ６０）。このアナウンスに従って体を動かすことで、検査のための動作が確実に行え、表示手段６４のＢ部に、バー表示が３ドット以上表示されると（ステップＳ６１）、洗場領域３０における動き量の検知は正常であることが確認できる。
【００７２】
次に、検査ガイド音声記憶部１４２から「浴槽に入って下さい」との音声でアナウンスがなされ、このアナウンスに従って、浴槽２の中央で座った状態で体を前後に揺らす（ステップＳ６２）。このとき表示手段６４のＣ部にバー表示が３ドット以上表示されると（ステップＳ６３）、浴槽領域３１における動き量の検知は正常であることが確認できる。これらの確認はいずれも浴室内の風呂リモコン６０の表示手段６４を目視することにより、確認することができるものである。
【００７３】
Ａ部、Ｂ部、Ｃ部の表示はバー表示に限られることなく、他の手段たとえば折れ線グラフ表示、円グラフ表示、数字による表示でも差し支えない。要するに、分割した各領域毎にセンサが正常に検知するか否かを目で確認することができるものであればよい。センサの検知する領域を分割して領域毎に動きを検出するようにしたので、分割した各領域毎に動作の確認検証をすることができ、さらに領域毎にバー表示による動き量の検出状態の表示ができ、領域毎に調光の補正等を行うことが可能となるものである。
検知しないときは、表示手段６４には表示されないようになっている。また、退室スイッチ８０が接続されていない場合にも、表示がされないようにしてある。退室スイッチ８０の接続忘れを防止するためである。
【００７４】
次に、「洗場で動き回って下さい」とアナウンスされる（ステップＳ６４）。
そのアナウンスに従って動くことで、表示手段６４のＤ部のバー表示が上下に動いていると（ステップＳ６５）、赤外線センサ５２の検知は正常であることが確認できる。なお、Ｄ部のバー表示は動作感知していない時でもバー表示されており、動作感知時は上下にバー表示が動くようになっている。このように、センサの検知状態の確認を温水機器の風呂リモコンの表示手段を活用することで、確認を浴室内で行うことができる。領域検知の確認が完了すれば（ステップＳ６６）、次に実動作確認モードに移ることとなる。
【００７５】
図２４は実運転の確認のフローを示すものであり、まず風呂リモコン６０の運転スイッチ１２９をオンする（ステップＳ６７）。このとき図示してはいないが、センサが作動状態であれば風呂及び台所リモコンの表示手段６４、７４にまず「センサ作動開始」の文字画面が表示される。次に、浴室１に入室する（ステップＳ６８）と、検知が正常であれば各リモコンに「入浴中」の文字が表示されるようにしてある。さらに、洗場で動作すると（ステップＳ６９）、正常であれば動きのある画像が表示される。次に、浴室内で動作停止すると（ステップＳ７０）、正常であれば動いていた画像が静止すると共に音声により報知がなされる。
停止の所定時間継続により（ステップＳ７１でイエスの場合）、正常であればカウントダウン表示が追加される。タイマカウントが終了すると（ステップＳ７２）、正常であれば音声による警報（「浴室を見に行って下さい」）がなされる。
次に、浴槽で動作すると（ステップＳ７３）、作動時に戻り、表示が再開され、又退室スイッチ８０を押すことで表示が消え、確認は完了する（ステップＳ７５）ようになっている。このように、領域検知確認モードのみならず実運転確認モードを設けることで、人体検出センサの検知が各領域毎に正常に行われるか否かを確認できるのみならず実際の動作に対して正常に作動するか否かの確認を行うことができる。
センサの試運転が終了したのち、初回の入浴を開始すればよい。
【００７６】
次に、定期的に人体検出センサが正常に動作するか否かの検査を行う定期運転検査モードについて説明する。図２５において、定期動作手段１４５はタイマカウントして一定期間毎に、例えば６ヶ月毎に運転検査手段１４０に検査を開始する信号を出力するようになっている。また、催告手段１４６は、一定期間経過後であって入浴者を検出出来ない場合に、検査の催促を促す手段である。ここに検査の催促とは、例えば台所リモコン７０の表示手段に、文字あるいは音声により「浴室に行って下さい」と表示あるいは報知するものである。検査の催促を行ってもまだ入浴者を検出できない場合には、交換促進手段１４７により、人体検出センサ５１の交換を促すようになっている。具体的には、台所リモコン７０の表示手段に「人体検出センサの異常です。交換して下さい」と、音声あるいは文字により報知あるいは表示するようになっている。
【００７７】
図２６は定期運転検査モードを示すフローチャートであり、図において、例えばタイマ手段からなる定期動作手段１４５が試運転検査後の一定期間後に作動すると（ステップＳ７６）、その出力が運転検査手段１４０に入力され、人体の検出がなされるモードとなる。検出の開始は自動的であってもよく、また所定の操作手順を経て行うようにしてもよい。人体検出センサ５１により浴室１において人体が検出されると（ステップＳ７７）、音声でガイドするための検査ガイド音声報知手段１４４を介して風呂リモコン６０の報知手段６１により「座る、立つを数回繰り返して下さい」との音声による案内がなされる（ステップＳ７８）。
入浴者はこれに応じて、動作すると、人体検出センサ５１は正常であれば、その動作による動きを検出する。
【００７８】
検査ガイド音声報知手段１４４からの音声による案内は、所定の順序でなされようにしておけばよい。入口付近での動きの検出ののちは、洗場３部での動きを案内ガイドして行えばよい。このガイドは音声により、試運転時と同様に、「洗場３の中央で座った状態で体を前後に揺らして下さい」とのアナウンスを行う（ステップＳ７８）。このアナウンスに従って、人が動き、その動きを人体検出センサ５１が正常であれば、検出する。
【００７９】
そして、次に「浴槽に入って下さい」との音声でアナウンスが行われ、このアナウンスに従って、人が動き、その動きを人体検出センサ５１が正常であれば、検出する。
さらに、「洗場で動き回って下さい」と音声でアナウンスされ、このアナウンスに従って、人が動き、その動きを人体検出センサ５１が正常であれば、検出する（ステップＳ７９）。このように、検査ガイド音声報知手段１４４を介してリモコンの報知手段からの音声による案内により、入浴者に対する動きの誘導がなされた後、センサがその動きを検出し、所定の一連の検査が終了すると、リモコンの表示手段６４および報知手段６１には「検査は正常に終了しました」と表示、報知される（ステップＳ８０）。
【００８０】
ステップＳ７７において、一定期間経過後入浴者を検出出来ない場合には、催告手段１４６が作動して、検査の催促がなされ（ステップＳ８１）、具体的には、台所リモコン７０の表示手段に「浴室に行って下さい」との表示が文字にてなされる（ステップＳ８２）。そして、その後人体検出センサ５１が人を検出すれば（ステップＳ８３でイエスの場合）、前述した検査モードに入り、また人体検出センサ５１が人を検出できなければ（ステップＳ８３でノーの場合）、交換促進手段１４７により「人体検出センサの異常です。交換して下さい」と、音声あるいは文字により台所リモコン７０に報知あるいは表示するようになっている（ステップＳ８４）。
【００８１】
なお、上述した実施形態は本発明の好適な実施形態を示すものであって、本発明はこれに限定されることなく、その範囲内で各種設計変更可能である。
また、本実施形態ではシステムバスルームについて説明したが、この例に限られることなくこれ以外の既存の浴室にも設置できるものである。さらに人体検出センサはＣＣＤカメラを使用したものであってもよい。また、人体検出センサと報知手段とを有線により接続したものを示したが、無線により接続したものであってもよい。さらに、運転検査手段を試運転時検査と定期運転検査との双方の検査に設けているが、そのいずれか一方の検査に設けてもよい。
【００８２】
【発明の効果】
以上のように本発明は、給湯器等の操作時に音声により操作手順等の案内を行う報知機能を利用して、人体検出センサの検査内容をアナウンスし、人とセンサとのコミュニケーションを図り、適正な動きを再現し撮像することが可能となる。
また本発明は、定期的に人を検知すればセンサの検査を行うことができ、音声ガイドに従って動作することで、その場でセンサの動作チェックを行うことができる。
さらに本発明は、給湯器の台所に設けたリモコンに催促の表示を行うことにより、注意喚起することができる。
さらに本発明は、動き量の演算機能を利用して、検査状態をグラフ等により表示することができ、音声報知との併用により、人とセンサとのコミュニケーションの充実を図ることができる。
【図面の簡単な説明】
【図１】図１は本発明の一実施形態を示す全体構成図である。
【図２】図２は本発明の一実施形態を示す電気回路のブロック図である。
【図３】図３は人体検出センサの画像検出部の１画素を構成する画像コア回路の構成を示す回路図である。
【図４】図４はセンサの撮像範囲と検知範囲及び検知領域との関係を示す説明図である。
【図５】図５は本発明の一実施形態を示すフローチャートである。
【図６】図６は本発明の人体監視のフローを示すフローチャートである。
【図７】図７は本発明の装置全体を示す一実施形態を示すブロック図である。
【図８】図８は通信関係を示す他実施形態を示すブロック図である。
【図９】図９は記憶部の概要を示すブロック図である。
【図１０】図１０の（ａ）は右下方へ向けて移動した物体の現画像と前画像を示す図、（ｂ）は前画像の明暗を各画素毎に示す図、（ｃ）は現画像の明暗を各画素毎に示す図である。
【図１１】図１１は画像の境界に対応する画素における明暗の変化を示す差分画像を表わした図である。
【図１２】図１２は一実施形態を示す電気回路ブロック図である。
【図１３】図１３は一実施形態を示す人体監視のフローチャートである。
【図１４】図１４は他実施形態を示す電気ブロック図である。
【図１５】図１５は本発明の他実施形態を示す電気ブロック図である。
【図１６】図１６は本発明の一実施形態を示す電気ブロック図である。
【図１７】図１７は一実施形態を示す試運転手段駆動のフローチャートである。
【図１８】図１８は一実施形態を示す表示手段への表示例である。
【図１９】図１９は一実施形態を示す表示手段への表示例である。
【図２０】図２０は一実施形態を示す表示手段への表示例である。
【図２１】図２１は一実施形態を示す表示手段への表示例である。
【図２２】図２２は一実施形態を示す領域検知確認モードのフローチャートである。
【図２３】図２３は一実施形態を示す表示手段への表示例である。
【図２４】図２４は一実施形態を示す実動作確認モードのフローチャートである。
【図２５】図２５は本発明の一実施形態を示す電気ブロック図である。
【図２６】図２６は一実施形態を示す定期運転検査モードのフローチャートである。
【符号の説明】
１　　　浴室
２　　　浴槽
３　　　洗場
４　　　出入口
５　　　人体センサ
６　　　撮像装置
７　　　制御装置
２４　　領域分割手段
２６　　検知領域
２９　　入口領域
３０　　洗場領域
３１　　浴槽領域
３２　　判定手段
４０　　温水機器
５１　　人体検出センサ
５２　　赤外線センサ
６０　　風呂リモコン
６４　表示手段
７０　　台所リモコン
１１１　動き量演算手段
１４０　運転検査手段
１４３　操作ガイド音声報知手段
１４４　検査ガイド報知手段
１４５　定期動作手段
１４６　催告手段
１４７　交換促進手段
【図１】
2004077414.tif 000003
【図２】
2004077414.tif 000004
【図３】
2004077414.tif 000005
【図４】
2004077414.tif 000006
【図５】
2004077414.tif 000007
【図６】
2004077414.tif 000008
【図７】
2004077414.tif 000009
【図８】
2004077414.tif 000010
【図９】
2004077414.tif 000011
【図１０】
2004077414.tif 000012
【図１１】
2004077414.tif 000013
【図１２】
2004077414.tif 000014
【図１３】
2004077414.tif 000015
【図１４】
2004077414.tif 000016
【図１５】
2004077414.tif 000017
【図１６】
2004077414.tif 000018
【図１７】
2004077414.tif 000019
【図１８】
2004077414.tif 000020
【図１９】
2004077414.tif 000021
【図２０】
2004077414.tif 000022
【図２１】
2004077414.tif 000023
【図２２】
2004077414.tif 000024
【図２３】
2004077414.tif 000025
【図２４】
2004077414.tif 000026
【図２５】
2004077414.tif 000027
【図２６】
2004077414.tif 000028